(57)【要約】【課題】効率的な作業管理方法を提供すること。【解決手段】まず、作業管理サーバ２は、設備管理会社１に、既に登録されている作業計画と対比させながら、新たな作業計画を作成させる。次に、作業管理サーバ２は、作業計画の項目で、作業に関する地域を選択させる際には、作業対象設備が付された地図が表示して、設備管理会社１に地域の選択を容易に行わせる。そして、作業管理サーバ２は、格納している作業計画を検査し、作業計画間に矛盾が生じる場合は、その旨を設備管理会社１に警告する。さらに、作業管理サーバ２は、設備工事会社３の作業員が有する作業者端末４に、予めに登録された帳票形式を用いて、作業管理サーバ２に格納された作業計画を適宜参照させて、利便性を提供する。【選択図】　　　図１
2004054716.tif 000002
【特許請求の範囲】
【請求項１】
設定する作業を選択させるために、登録されている作業リストが表示されるように為し、この表示された作業リストから、設定対象の作業が選択されると、選択された作業に関する項目の設定画面を表示し、前記設定画面は、作業対象設備が付された地図と連携し、前記地図上に付された作業対象設備を選択させて、前記作業に関する項目を設定することを特徴とする作業管理方法。
【請求項２】
前記設定する作業を選択させるために、作業データが有する項目に関する検索条件の入力画面を表示し、検索条件が入力されると、入力された検索条件を反映して前記作業リストが表示されるように為すことを特徴とする請求項１に記載の作業管理方法。
【請求項３】
前記作業リストは、行要素を作業とし、列要素を作業期間とするガントチャート形式で表示することを特徴とする請求項１または請求項２に記載の作業管理方法。
【請求項４】
前記ガントチャート形式による作業リストの表示は、マウスのドラッグアンドドロップ操作により、前記作業期間を示す印の位置を変更して作業期間を変更させることを特徴とする請求項３に記載の作業管理方法。
【請求項５】
前記ガントチャート形式による作業リストの表示は、登録されている作業に要する総作業員数の期間ごとの山積み表示を付すことを特徴とする請求項３または請求項４に記載の作業管理方法。
【請求項６】
前記作業対象設備が付された地図の作成のために、表示させた地図上の任意の位置に作業対象設備を追加・削除させることを特徴とする請求項１ないし請求項５のいずれか１項に記載の作業管理方法。
【請求項７】
前記地図上に付された作業対象設備は、設備接続図によって作業対象設備間の接続情報を入力・表示させることを特徴とする請求項１ないし請求項６のいずれか１項に記載の作業管理方法。
【請求項８】
設定された前記作業に関する項目は、定型データとして再利用されることを特徴とする請求項１ないし請求項７のいずれか１項に記載の作業管理方法。
【請求項９】
設定された前記作業に関する項目について、登録されている作業間での整合性を検査し、整合性が取れていない作業について警告を表示することを特徴とする請求項１ないし請求項８のいずれか１項に記載の作業管理方法。
【請求項１０】
設定された前記作業に関する項目は、ユーザの指定した帳票形式で出力されることを特徴とする請求項１ないし請求項９のいずれか１項に記載の作業管理方法。
【請求項１１】
前記帳簿形式の出力は、作業に関するデータを含めることを特徴とする請求項１０に記載の作業管理方法。
【請求項１２】
管理された作業の表示方法において、作業を管理するサーバは、外部からの端末のアクセスを受信すると、前記端末のアクセスによる操作に応じて、所定の作業に関する項目を地図と連携させて表示する画面を作成し、前記作成された表示画面を前記アクセスされた端末に送信することを特徴とする管理された作業の表示方法。
【請求項１３】
前記サーバからの表示画面の送信は、複数の表示画面を一度に送信することを特徴とする請求項１２に記載の管理された作業の表示方法。
【請求項１４】
複数の作業を管理する作業管理方法において、前記複数の作業を管理するサーバは、外部からの端末のアクセスによる操作に応じて前記複数の作業を格納した作業リストを作成すると共に、外部からの端末のアクセスによる操作に応じて前記作業リストを編集させることを特徴とする複数の作業を管理する作業管理方法。
【請求項１５】
前記作業リストは、行要素を作業とし、列要素を作業期間とするガントチャート形式で表示することを特徴とする請求項１４に記載の複数の作業を管理する作業管理方法。
【請求項１６】
前記ガントチャート形式による作業リストの表示は、マウスのドラッグアンドドロップ操作により、前記作業期間を示す印の位置を変更して作業期間を変更させることを特徴とする請求項１５に記載の複数の作業を管理する作業管理方法。
【請求項１７】
前記ガントチャート形式による作業リストの表示は、登録されている作業に関する項目と前記項目に関する制約条件とを比較させることを特徴とする請求項１５または請求項１６に記載の複数の作業を管理する作業管理方法。
【発明の詳細な説明】
【０００１】
【発明の属する技術分野】
本発明は作業管理方法あるいは作業管理のためのコンピュータプログラムなど、作業管理のための技術に関する。
【０００２】
【従来の技術】
各地に配置された設備を管理する業務には、様々な作業内容がある。例えば、電力設備を管理する業務では、正常な動作を確認する作業、電力設備に事故が発生した場合の復旧作業、並びに、電力系統を切替える作業が、電力設備の状態に応じて適宜行われる。このような作業内容に応じて、必要となる作業人員、電源車などの作業用機材、並びに、作業中の停電区間などの作業を特定する項目が異なる。よって、作業対象設備の種別および作業内容に適した作業を計画するには、手間がかかる。
【０００３】
また、作業対象設備が置かれている地域だけでなく、その周辺の地域についても十分に考慮した作業計画を立案する必要がある。例えば、所定の電力設備が置かれている地域を停電させて作業を行う場合、変電所からの電力供給の経路により、所定の地域の停電によって、変電所からの電力供給の経路が遮断され、所定の地域に隣接した周辺の地域が、連鎖的に停電してしまうこともある。そして、停電してしまった周辺の地域内に病院などの常時電力を供給すべき施設がある場合には、その周辺地域に電力供給の代替手段を用意する必要がある。このように、周辺の地域への影響を考慮する必要があるので、作業対象とする地域は広範囲となる。
【０００４】
【発明が解決しようとする課題】
上述の従来技術は電力設備を例として説明したがそれだけではなく、さらにガス供給設備、水道供給設備、鉄道設備、通信設備などは、多くの人に生活に欠かせない設備として利用されている、社会的影響力が大きい設備である。これらの工事や保守点検などの作業は、短時間にしかも誤りなく行われることが特に要求されている。このため、これらの作業計画に誤りが起こりにくく、安全性の高い方法で作成できることが望ましい。また工事会社や工事担当者に作業内容や指示が的確に伝わることが望ましい。
【０００５】
例えば１つの具体例を挙げて説明すると、新たな工事計画を策定する場合、既に決定されている作業計画との関係が視覚的に判断でき、他の作業計画との整合性がとれることが大切である。このような整合性の判断に手間がかかると、単に効率が落ちるだけでなく安全性の低下につながる。
【０００６】
また他の具体的な例としては、上記記載の電力、ガス、水道、鉄道、通信などは、その作業対象設備が置かれている場所だけでなく、その作業により影響を受ける周辺地域を判断して対応することが必要となる。さらに複数の作業が行われる場合、複数の作業の相互関係や相互の作業が地域に及ぼす影響を考慮することが必要となる。このような判断を的確に行い、安全性を配慮した作業が望まれる。
【０００７】
上記事例は、作業計画を立てる立場の例を述べたが、その計画に従い作業を行う会社や担当者も同様である。
【０００８】
本発明の一つの目的は安全性を考慮した作業管理方法または、作業管理のためのプログラムを提供することである。
【０００９】
本発明の他の目的は、以下に記載の発明の実施の形態に係る記載の中で説明する。
【００１０】
【課題を解決するための手段】
本発明に係る１つの課題解決手段は、視覚的に把握できる表示を行い、適切な判断を行えるようにしたことである。
【００１１】
実施の形態で記載の具体例で説明すると、例えば新たな作業計画を作成する場合、既に登録されている作業計画を表示し、これと対比しながら新しい作業計画を作成できるようにしたことである。
【００１２】
実施の形態で記載の他の具体例で説明すると、作業対象設備が付された地図が表示でき、この地図を使用して作業計画を作成できるようにしたことである。
【００１３】
他の課題解決手段について、以下の実施の形態の中で説明する。例えば、上記具体例以外にも、工事会社や作業者が使用のシステムや端末に関する具体的な課題解決手段があり、これらは実施の形態の中で説明する。
【００１４】
【発明の実施の形態】
以下に、本実施形態の作業管理方法を実現する作業管理サーバを含めた作業管理システムにおける第１実施形態について、図面を参照して詳細に説明する。
【００１５】
まず、本実施形態の作業管理方法を実現する作業管理サーバを含めた作業管理システムの構成について、図１を参照して説明する。
【００１６】
図１に本発明に係る作業の全体モデルを示す。図の上部にモデルの構成を示し、そこから点線の矢印で各モデルが有する処理装置の動作を説明する。
【００１７】
まず、図１におけるモデルの構成について説明する。設備管理会社１（電力設備管理会社）は、作業管理サーバ２を管理し、設備工事会社３（電力設備工事会社）は、設備工事会社の処理システム３Ａを管理し、設備工事会社３に所属する各作業者は、作業者端末４を保持している。作業管理サーバ２は、公衆回線５を介して、設備工事会社の処理システム３Ａと公衆回線６で接続されるとともに、公衆回線５を介して、作業者端末４と公衆回線９で接続されている。設備工事会社の処理システム３Ａは、作業者端末４と、専用通信回線７、並びに、公衆回線５を介した公衆回線８により接続されている。
【００１８】
次に、図１における各モデルが有する処理装置の動作ついて説明する。設備管理会社１の担当者は作業管理サーバ２を用いて作業計画を作成５０する。ここで設備管理会社１は例えば電力会社やガス会社、水道会社、鉄道会社通信会社である。以下電力会社を例に説明する。作業管理サーバ２はコンピュータで構成でき、例えばこの実施例ではサーバである。作業管理サーバ２を用いて作成された作業計画は設備工事会社３へ公衆回線５などを介して送られる５２。設備工事会社３から取りに来ても良い５４。設備工事会社３は作成された作業計画を所定の形式で設備工事会社の処理システム３Ａに表示でき、また印刷機で出力できる。設備工事会社の処理システム３Ａが受信した作業計画は、専用通信回線７あるいは公衆回線８を利用して設備工事会社３の担当者が有する作業者端末４に送信できる５６。また作業者端末４から依頼して、設備工事会社の処理システム３Ａの作業計画であるデータを専用通信回線７や公衆回線８を介して取ることが出来る。また作業者端末４から、担当工事に関わる作業計画を作業管理サーバ２へ取りに行くことが可能である５８。このような作業計画の送受信により、必要な情報が的確に送受信でき、特に工事担当が予定時間内で、正確に即ち安全に作業を行うことが出来る。
【００１９】
上記処理のため、作業管理サーバ２は設備管理会社の担当者に作業計画の作成を支援するための作成画面を表示する。その作成画面を通じて作成された作業計画は、各作業者端末４に回線を介して送信され、設備工事会社３によって指定された所望の帳票形式に従い、作業者端末４に表示される。または、電力設備工事会社３によって指定された所望の形式に従って工事会社の処理システムに送られ、このシステムで印刷され、作業担当者に渡される。作業計画を作業者端末４で受信、または紙面にて受け取った作業担当者は、作業計画を適宜確認しながら作業を行う。作業担当者は、必要に応じて作業に関するデータを、作業者端末４から、作業管理サーバ２に回線を介して入力して、送信することができる。入力された作業に関するデータは、作業計画の一部として作業管理サーバ２に保存され、作業の進捗状況を確認するために、適宜参照される。これにより最終確認や不具合の早期処理が可能となる。また、作業計画は、設備管理会社１や設備工事会社３にも適宜確認されるようになっている。
【００２０】
次に、本実施形態の作業管理方法を実現する作業管理サーバ２の機能を、図２を参照して説明する。
【００２１】
サーバ２は作業計画を管理する機能を有する。作業管理サーバ２は必要な情報を提供するのに優れたコンピュータであり、入力部と表示や印刷などを行う出力部、データ処理を行う処理部、送受信を行う送受信部、大量のデータを蓄えるメモリ部を有している。作業管理サーバ２は、プログラムをインストールすることにより処理に必要な機能を備えることとなる。この機能を図２に示す。以下これらの機能を有する構成について説明する。作業管理サーバ２は、データの入出力を行うためのインタフェースであるユーザインタフェース１０と、作業計画を作成させる際に作業区間の指定を効率的に行わせるための作業区間管理部２０と、複数の作業計画について作業間の整合性を保ちながら作業を管理する作業管理部３０と、電力設備工事会社３によって指定された帳票形式を管理し、帳票形式に合った作業計画の出力を行う帳票管理部４０とを有する。
【００２２】
ユーザインタフェース１０は、作業管理サーバ２にアクセスするユーザにデータの入出力を提供する機能を有する。このため、ユーザインタフェース１０は、作業管理サーバ２にアクセスするユーザにデータを入力させるユーザ入力機能１１と、作業管理サーバ２がユーザに出力する画面を送信するユーザ出力機能１２と、作業管理サーバ２が有する機能をユーザに呼び出させるためのメニュー機能１３とを有する。なお、ユーザとは、例えば、作業計画者であるが、本実施形態では、作業管理サーバ２により作業を計画するユーザは、主として電力設備管理会社１である。
【００２３】
作業区間管理部２０は、作業計画を作成させる際に作業区間の指定を効率的に行わせる機能を有する。このため、作業区間管理部２０は、電力設備の設置場所を示す電力設備ＤＢ２１と、電力設備ＤＢ２１をユーザに編集させる電力設備編集機能２２と、電力設備ＤＢ２１に格納されている電力設備データが付される地図を格納する地図ＤＢ２３と、地図上に電力設備データを付して作業区間画面を作成する作業区間画面作成機能２４とを有する。なお、地図上に付された電力設備データは、請求項の「地図上に付された作業対象設備」に相当する。
【００２４】
作業管理部３０は、複数の作業計画について作業間の整合性を保ちながら作業を管理する機能を有する。このため、作業管理部３０は、複数の作業計画を管理する作業ＤＢ３１と、作業ＤＢ３１が有する任意の作業計画をユーザに編集させる作業編集機能３２と、複数の作業計画を同時に表示させ、作業期間の比較を容易にさせるガントチャート画面生成機能３３と、複数の作業計画から所望の条件で作業を検索する作業検索機能３４と、複数の作業計画で作業項目が矛盾していないことを検査する作業検査機能３５と、電力設備工事会社３が用意できる作業者や作業員などの管理用資源を格納する管理用資源ＤＢ３６と、作業管理サーバ２へのアクセス者を識別し、作業管理サーバ２へのログイン許可や作業計画に承認する権限を与える認証機能３７とを有する。
【００２５】
帳票管理部４０は、電力設備工事会社３が指定した帳票形式に従って作業計画を出力させる機能を有する。このため、帳票管理部４０は、電力設備工事会社３が指定した帳票形式を格納する帳票形式記録領域４１と、作業ＤＢ３１が有する任意の作業計画を帳票形式記録領域４１に従って変換する帳票作成機能４２とを有する。
【００２６】
次に図１および図２を参照しつつ、作業管理サーバ２の動作を、図３に沿って説明する。図３は、作業管理サーバ２を用いて作業計画を作成する動作を説明したフローチャートである。
【００２７】
まず、電力設備管理会社１および電力設備工事会社３は、作業を計画する前準備として、作業管理サーバ２が管理するデータの更新を行う（Ｓ１０１）。ここで、作業管理サーバ２が管理するデータの格納場所は、電力設備ＤＢ２１、地図ＤＢ２３、作業ＤＢ３１、管理用資源ＤＢ３６、並びに、帳票形式記録領域４１が挙げられる。
【００２８】
前準備のうち、電力設備ＤＢ２１および地図ＤＢ２３の更新は、電力設備管理会社１によって行われる。まず、地図ＤＢ２３について、作業管理サーバ２は、図示しない地図データサーバからダウンロードされた地図データまたは作業管理サーバ２に挿入された記憶媒体に記録された地図データで、地図ＤＢ２３を更新する。次に、作業管理サーバ２は、電力設備管理会社１に、地図ＤＢ２３上に付された電力設備ＤＢ２１の更新を行わせる。ここで、電力設備ＤＢ２１の更新のうち、変電所または配電線の変更がある場合は、作業管理サーバ２は、機器結線図の編集画面（図６参照）を電力設備管理会社１に提供して電力設備の編集をさせる。次に、作業管理サーバ２は、電力設備を付した地図編集画面（図７参照）を電力設備管理会社１に提供する。そして、作業管理サーバ２は、電力設備管理会社１に地図編集画面上で電力設備を接続する電線の編集を行わせ、編集された電線をもとに、電力設備管理会社１に電線上に配置される電力設備の編集を行わせる。作業管理サーバ２は、編集結果に基づいて、電力設備ＤＢ２１を更新する。
【００２９】
前準備のうち、管理用資源ＤＢ３６の更新は、電力設備管理会社１または電力設備工事会社３によって行われる。作業管理サーバ２は、電力設備管理会社１に、作業を依頼する電力設備工事会社３を管理用資源ＤＢ３６に登録させる。そして、作業管理サーバ２は、電力設備管理会社１によって登録された電力設備工事会社３に、配置可能な作業員、使用可能な作業機材などの資源情報を、管理用資源ＤＢ３６に登録させる。
【００３０】
前準備のうち、帳票形式記録領域４１の更新は、電力設備工事会社３によって行われる。作業管理サーバ２は、電力設備工事会社３に、所属する作業担当者が作業を把握しやすいように、作業管理サーバ２が管理する作業計画の形式（出力形式）を変換するための所定の帳票形式を、帳票形式記録領域４１に予め登録させる。以後、作業管理サーバ２は、作業担当者の参照指示に応じて、作業計画を登録された帳票形式に従って変換して作業担当者に参照させる。
【００３１】
次に、認証機能３７は、ユーザである電力設備管理会社１または作業者端末４からのログインを受け付け、発生したアクセスを認証する（Ｓ１０２）。ここでの認証の結果により、作業管理サーバ２は、アクセス者の権限を特定し、作業計画への参照や作業計画の承認を、アクセス者の権限に応じて行わせる。なお、アクセスの認証は、例えば、認証機能３７が、作業管理サーバ２により受信されたアクセスに含まれる、作業を識別するＩＤを参照することによって行われる。
【００３２】
そして、ユーザに変更する作業を選択させる、または、新たな作業を追加させるために、作業管理サーバ２は、登録している作業のリストを表示する（Ｓ１０３）。作業リストは、ユーザに複数の作業期間を容易に比較させるために、ガントチャート画面生成機能３３によって、行要素を作業とし、列要素を作業期間とするガントチャート形式で表示させる（図４参照）。ここで、ガントチャート表示は、作業に加えて、作業に必要な作業員人数を、作業期間ごとに山積み表示を行う。作業期間ごとの山積み表示は、複数の作業において、作業員の人数を調整するための確認に使用される。例えば、管理用資源ＤＢ３６に、７月１５日に１００名の作業員を配置できる旨の登録がなされているとする。そして、作業ＤＢ３１に登録されている作業のうち、７月１５日に行われる作業に必要な作業員の総和が１１０名であるとする。すると、７月１５日の山積み表示は、７月１５日に行われる作業に必要な作業員の総和である１１０名に相当する印が、作業員の人数制限である１００名を示す線を跨いでいる表示となる。ガントチャート画面生成機能３３は、人数制限の総和を示す線を跨いだ期間について、印の色を変える、などの視覚的な変化を加えることで、ユーザに、人数制限の違反を警告する。ここでは山積み表示を行っているが、動因可能人数と作業に必要な人数の関係が視覚的に表示されれば良い。グラフを用いて関係が表示できれば更に良い。
【００３３】
ここで、表示された作業リストから変更する作業を選択する際に、作業リストが有する作業から、検索条件によって作業を絞り込んで表示し、それを更に選択するなどして、変更対象作業またはそれと対比して表示する作業を選択することが出来る。もちろん作業予定の新規作成の場合にそれと対比させながら表示する作業を選択することが出来る。作業検索機能３４は、ユーザによって検索条件が指定されたかを確認し（Ｓ１０４）、検索条件が指定されたら（Ｓ１０４、Ｙｅｓ）、検索条件に応じて作業リストから作業を抽出する（Ｓ１０５）。検索条件が指定されない場合は（Ｓ１０４、Ｎｏ）、作業リストは、作業ＤＢ３１に登録されている作業を表示する。そして、ユーザは、作業リストから変更する作業を選択する（Ｓ１０６）。
【００３４】
作業編集機能３２は、選択された作業に関する作業項目を作業ＤＢ３１から読み出し、ユーザに編集させる画面を表示する（Ｓ１０７）。なお、作業を新規に計画する場合は、作業項目として初期値が設定される。ここで、頻繁に作成される作業の作業項目を呼び出す場合（Ｓ１０８、Ｙｅｓ）は、定型作業の作業項目が呼び出される（Ｓ１０９）。
【００３５】
作業編集機能３２は、ユーザに作業項目を編集させる。まず、ユーザは、作業項目のうち、文字形式により入力する項目を編集する（Ｓ１１０）。次に、ユーザは、地図に関する作業項目を入力する際に、作業区間画面作成機能２４を呼び出す。作業区間画面作成機能２４は、地図ＤＢ２３に格納された地図データに、電力設備ＤＢ２１に格納された電力設備を付して作業区間画面を作成し、電力設備付の地図を表示する（Ｓ１１１）。そして、作業区間画面作成機能２４は、作成された作業区間画面の任意の電力設備をユーザに選択させて、地図に関する作業項目を編集させる（Ｓ１１２）。
【００３６】
作業項目がユーザによって編集された作業は、作業ＤＢ３１に登録される。このとき、編集された作業が次回以降に利用される場合は、作業管理サーバ２は、ユーザ編集された作業を定型作業として登録するかを問い合わせ（Ｓ１１３）、登録の指示がなされたら（Ｓ１１３、Ｙｅｓ）、編集された作業を定型作業として作業ＤＢ３１に登録する（Ｓ１１４）。
【００３７】
そして、作業管理サーバ２は、作業検査機能３５によって、作業ＤＢ３１に登録された作業間での整合性をチェックする（Ｓ１１５）。ここで、作業検査機能３５は、現実に作業に使用できる資源の内容を格納した管理用資源ＤＢ３６を参照することにより、作業ＤＢ３１に登録されている作業が有するそれぞれの作業項目について、実現可能かを検査する。検査とは、例えば、管理用資源ＤＢ３６に登録されている所定の作業車を、同期間に複数の作業が使用する設定がなされた場合は、所定の作業車を使用する複数の作業と、所定の作業車とをユーザに表示し、作業間の矛盾を警告する。なお、複数の作業計画における検査項目としては、例えば、作業責任者の重複、作業場所の重複、停電区間の重複、ならびに、作業配電線の重複がある。また、単独の作業における検査項目としては、例えば、作業日が休日に設定されていないかのチェック、がある。
【００３８】
整合性チェックが終了した作業は、作業管理サーバ２に登録され、帳票形式記録領域４１に登録された帳票形式にて、適宜作業員に出力される（Ｓ１１６）。
【００３９】
以上、本発明の第１実施形態について説明した。かかる方法によれば、作業場所の地域を事前に確認しながら作業計画をたてることができる。その結果、地理的範囲を考慮して作業を効率よく計画および管理することができる。また、検索条件に合致した作業の中から、設定したい作業をすばやく選択することができる。それにより、所望の作業をすばやく表示および設定することができる。さらに、作業対象設備の追加・削除を地図上で計画することができる。その結果、地理を考慮した作業対象設備の追加・削除を容易に計画することができる。また、定型作業を活用することで、類似した作業の入力をすばやく行うことができる。それにより、作業を効率的に入力することができる。さらに、複数の作業の整合性を容易に確認することができる。その結果、複数の作業の整合性をとることができる。また、作業の進捗状況が容易に把握できる。それにより、作業データを参照することで、作業計画の承認、変更を容易に行うことができる。
【００４０】
以下に、本実施形態の作業管理方法を実現する作業管理サーバを含めた作業管理システムにおける第２実施形態について説明する。第２実施形態は、上記第１実施形態において、作業管理サーバ２が提供する画面について、より具体的に説明する。従って、第１実施形態と同様の構成要素および動作については、同じ符号を付して説明を省略する。
【００４１】
まず、上述した検索操作のための画面を図１２に示す。この画面は作業管理サーバ２のインタフェースである表示装置に表示される。図で「作業計画実施日」の開始と終了枠に月日を入力することで、入力期間の対象作業を検索することができる。また状態欄を選択することで、対象を選択することができる。例えば「作業を中止している」ものを選択、あるいは「起草」：作業計画起草中の作業、「承認待ち」：作業計画の承認待ちの作業、「承認済」：作業計画の承認済の作業、「作業中」：現在作業中の作業、「作業完了」：作業が既に完了した作業、などの１つの項目あるいは複数の項目を選択することで、対象作業を検索できる。また作業の種別からも検索することができる。作業の種別は、例えば「作業」、「一般」、「事故」、「系統切替え」、などである。さらに作業の対象となった、あるいは、作業の対象となる設備から検索できる。また工事会社から検索することができる。これらの１つまたは複数個の項目を選択して、画面の検索表示を選択することにより、作業管理サーバ２の検索動作が行われる。検索結果は例えば図４や図５に示す作業Ａ、Ｂ、Ｃの形で表示される。
【００４２】
次に、ガントチャート画面生成機能３３によって生成されたガントチャートの表示画面について、図４および図５を参照して説明する。また図４と図５の具体的な表示画面を図１４に示す。
【００４３】
図で各作業が縦に列をなして表示されている。これらの作業は、検索により引き出された作業、あるいは新規に入力した作業である。作業ごとにその作業の状態、例えば「作業中」「承認待ち」「起草」、が示されている。この状態が図１２で説明した状態による検索の対象となる。また作業場所あるいは作業区間が示されている。複数の表示された作業Ａ〜Ｃは対比が正確に行えるように、時間軸が共通になっている。さらに作業者数の表示とも時間軸が共通になっている。この図４と図５では示していないが、具体的な表示画面である図１４で示す如く共通時間軸を切替える操作ボタン６１０が設けられ、日、週、月、３ヶ月、６ヶ月などの複数の切替え数値から選択可能となっている。また表示期間を挿入枠６１２に入力すれば、ガントチャートの表示画面は、その値で時間軸を形成して表示する。このことにより効率よくまた誤りを少なくする工夫が為されている。図１４の表示では表示エリア６１４に階層構造で作業が表示され、階層構造で目的の作業を選択するとその作業およびその作業計画が表示される。特定の作業についてその変更や新規計画を作成する際に、それに関係する作業をエリア６１４で選択して表示でき、作業の効率と共に新規作成または作業計画の変更に対する正確さ、安全性の向上となる。
【００４４】
ガントチャートの表示画面は、電力設備管理会社１に、編集する作業を選択させる機能、および、作業者数を調整するために作業期間を変更させる機能が要求される。このため、ガントチャートの表示画面は、縦軸に表示された作業リスト１０１と、計画した作業に要する人数が、配置可能な人数内におさまっているかを確認させる作業人数確認欄１０２と、作業人数確認欄１０２内に付され、管理用資源ＤＢ３６に格納された期間ごとの作業人数の上限を示す作業人数の上限線１０３と、作業人数確認欄１０２内に付され、作業期間ごとに計画した作業に要する人数の総和を示す作業人数の総和１０４と、作業ごとに配置されて作業区間を示す作業区間印１０５と、作業区間印１０５の付近に配置されて作業に関するメモ書きを示す作業区間印メモ１０６とを有する。なお、作業人数の上限線１０３および作業人数の総和１０４は、縦軸方向に人数を表示している。
【００４５】
以下、複数の作業に要する作業人数の総和１０４が用意可能な作業人数を超える計画された場合に、作業期間を変更して対処する具体的な手順を、図４および図５を参照して説明する。図４は、複数の作業に要する作業人数の総和が用意可能な作業人数を超えた場合に表示される画面であり、図５は、図４に対して、所定の作業区間を変更することで、複数の作業に要する作業人数の総和が用意可能な作業人数を超えないように調整した後に表示される画面である。
【００４６】
ユーザは、図４において、作業人数確認欄１０２を参照する。作業人数の総和１０４の内、作業人数の総和１０４Ａに相当する期間について、作業人数が違反されていることが確認される。次に、ユーザは、作業リスト１０１のうち、作業人数の総和１０４Ａに関連する作業である作業Ａおよび作業Ｂを確認する。そして、ユーザは、作業Ｂに対応する作業区間印１０５Ａを、作業Ａに対応する作業区間印１０５と重ならないように、図５における、作業区間印１０５Ｂの位置にマウスのドラッグアンドドロップ操作により移動する。すると、図５において、作業人数確認欄１０２に表示された作業人数の総和１０４が、作業区間印１０５Ｂへの移動に伴い、作業人数の上限線１０３内に収まることが、ユーザに確認される。以上、作業期間を移動することによる作業人数の調整操作について説明した。
【００４７】
さらに、作業計画の入力あるいは編集に使用する画面を図１３に示す。この画面で、作業を特定する「管理番号」や「作業種別」、作業の「実施日」即ち実施期間、「作業場所」、その他を入力して「登録」および「終了」を選択すると、図４あるいは図１４の表示画面に遷移する。一方、図４や図５、図１２で作業あるいは作業計画の実施期間を示すグラフを選択すると図１３が表示される。図１３で「作業場所」を選択すると、作業場所の地図が表示される。この地図は図６、図７、図１０に示されている。この地図を操作すると、上記図で説明の如く、図１３の「作業設備名称」の欄に設備内容やその設備の作業に基づく必要な操作内容が表示される。この表示により、安全で効率的な作業が可能となる。さらに上記地図の操作により、「停電区間」の欄に停電区域が表示される。ここでの説明は電力の例であり、ガスや水道に関する場合は、これらの供給が停止される地域が示される。また既に登録されている作業内容や注意事項が表示される。これらの項目は新たに入力することも出来る。工事責任者や工事会社が入力され、または登録された内容から読み出されて表示され、「登録」を選択することでこれらのデータはデータベースに登録される。このデータは、工事会社のシステムや工事担当者の端末に送られ、利用されることとなる。図１３はこの作業に必要な内容を同一画面に表示とており、判断しやすくなっている。現場画像は現場の状況を感覚的に把握できるようにしたものであり、作業の安全確認や装備の点で適切な判断を行うのに役立つ。
【００４８】
また、配電線路図の表示画面について、図６を参照して説明する。
【００４９】
図６に示された配電線路図の画面は、地図上に付される電力設備間の接続を示し、またその接続をユーザに編集させる機能を有する。このため、配電線路図の画面は、電力設備間の接続を示す電力設備接続ウィンドウ２２０と、電力設備を追加するときに押される追加ボタン２３１と、電力設備を削除するときに押される削除ボタン２３２とを有する。また、電力設備接続ウィンドウ２２０は、電力を提供する変電設備のアイコン２２１と、各区間に電力を中継する配電線のアイコン２２２とを有する。
【００５０】
ユーザは、まず、図示しない電力設備アイコンリストから、追加したい電力設備アイコン２１１を選択する。次に、ユーザは、電力設備接続ウィンドウ２２０内の接続線で接続された所定の箇所のうち、まだ電力設備アイコン２１１が付されていない任意の箇所を選択して、追加ボタン２３１を押すことにより、電力設備アイコン２１１を、電力設備接続ウィンドウ２２０の選択した箇所に追加する。また、ユーザは、電力設備を削除する際には、電力設備接続ウィンドウ２２０内に付された任意の電力設備アイコン２１１を選択して、削除ボタン２３２を押すことにより、電力設備アイコン２１１を削除する。
【００５１】
さらに、地図上で電力設備をユーザに選択される画面について、図７を参照して説明する。
【００５２】
図７に示された地図画面は、地図上に付される電力設備の配置を示し、ユーザに、任意の電力設備、または複数の電力設備とそれらの接続によって構成される任意の区間を、選択または編集させる機能を有する。このため、地図画面は、編集する電力設備アイコン２１１を種別ごとに表示した電力設備アイコンリスト２１０と、電力設備を追加するときに押される追加ボタン２３１と、電力設備を削除するときに押される削除ボタン２３２と、電力設備が付された地図を表示し、ユーザに地図上の電力設備または区間を選択される地図ウィンドウ３００とを有する。例えば、図７において、地図ウィンドウ３００には、電力設備アイコン３１１，３１２，３１３，３１４，３１５が付されている。そして、作業対象区間３２１は電力設備アイコン３１１，３１２，３１３とその接続で構成され、また、作業対象区間３２２は、電力設備アイコン３１３，３１４，３１５とその接続で構成される。なお、ユーザに把握しやすくするために、電力設備はその種別に応じて色をかえて表示しても良い。以下、操作の目的ごとに、地図画面へのユーザの操作を説明する。なお、図７のより具体的な地図画面を図１０に示す。
【００５３】
まず、作業に関する操作を入力するなど、地図画面上の任意の電力設備を選択する場合は、ユーザは、地図ウィンドウ３００内の任意の電力設備をマウスのクリック操作などで直接選択する。そして、ユーザは、選択された電力設備に対して操作内容などの作業項目を追加する。なお、操作内容などの作業項目が追加された電力設備について、編集済みを表すために、色をかえて表示しても良い。
【００５４】
次に、作業に関してある区間を停電するなど、地図画面上の任意の区間を選択する場合は、ユーザは、地図ウィンドウ３００内の任意の接続線をマウスのクリック操作などで直接選択する。任意の接続線は電力設備によって囲まれた区間に含まれるので、ユーザによる接続線の選択により、選択された接続線の所属する区間が選択される。
【００５５】
そして、地図画面に対して電力設備を追加する場合は、ユーザは、電力設備アイコンリスト２１０から、追加したい電力設備アイコン２１１を選択する。次に、ユーザは、地図ウィンドウ３００内の接続線が接続された箇所のうち、まだ電力設備アイコン２１１が付されていない任意の箇所を選択して、追加ボタン２３１を押すことにより、電力設備アイコン２１１を、地図ウィンドウ３００の選択した箇所に追加する。また、ユーザは、電力設備を削除する際には、地図ウィンドウ３００内に付された任意の電力設備アイコン２１１を選択して、削除ボタン２３２を押すことにより、電力設備アイコン２１１を削除する。以上、操作の目的ごとに、地図画面へのユーザの操作を説明した。
【００５６】
また、作業者端末４が、作業管理サーバ２から作業を参照する際の画面遷移について、図８を参照して説明する。なお、作業者端末４からは作業の参照が可能であり、作業の変更は許可されない。
【００５７】
図８に示された画面遷移は、作業管理サーバ２がアクセスの行われた作業者端末４を認証するためのログイン画面４０１と、作業担当者が作業に関する所望の画面を呼び出すためのメニュー画面４０２と、地図上に付された電力設備を確認するための地図ウィンドウ３００に相当する現場地図画面４０３と、作業中に停電させる区間の識別子を表示させる停電区間画面４０４と、作業対象となる電力設備と、その電力設備への操作とを表示する概略手順画面４０５との間で遷移が行われる。なお、作業者端末４が作業を参照する際に最初に起動される画面は、ログイン画面４０１である。ここで、現場地図画面４０３のより具体的な表示例を図１１（Ａ）に、停電区間画面４０４のより具体的な表示例を図１１（Ｂ）に示す。
【００５８】
作業担当者は、作業者端末４より、ログイン画面４０１を介して、作業管理サーバ２にアクセスする。アクセスを受けた作業管理サーバ２は、作業者端末４からの指示に応じて、作業担当者の所望の画面を作成して、作業者端末４へ送信する。なお、現場地図画面４０３は画像形式で、その他の画面はレイアウト形式が指定された文字形式で作成される。ここで、現場地図画面４０３は、地図上に電力設備、作業の概要を示す文字情報などを付して表示する。地図上に付された電力設備や文字情報は、請求項の「所定の作業に関する項目」に相当する。ここで、帳票作成機能４２は、予め帳票形式記録領域４１に登録された帳票形式を用いて表示画面を作成することもできる。作成された表示画面を受信した作業者端末４は、その画面を作業担当者に提示する。予め帳票形式記録領域４１に登録された帳票形式を用いて作成された表示画面の一例を図９に示す。図９において、帳票形式による作業画面５００は、作業の概要５１０と、作業の操作一覧５２０を所定の形式で表示している。帳票形式は、例えば表ソフトであるエクセル（Ｒ）を用いて作成される。
【００５９】
以上、本発明の第２実施形態について説明した。かかる方法によれば、作業ごとに期間を比較することができる。その結果、複数の作業期間を比較することにより、特定期間に作業が集中することを抑制するように作業期間を分配できる。また、他の作業期間を参照し、重複しないように作業期間を変更することができる。それにより、複数の作業期間を比較することにより、特定期間に作業が集中することを抑制するように作業期間を分配できる。さらに、作業人員を従事可能な人数内に抑えることができる。その結果、作業員数に合った作業を計画でき、作業員の負荷分散ができる。また、作業対象設備の接続を事前に確認しながら作業計画をたてることができる。作業対象設備全体の理解が容易に行える。それにより、作業対象設備の接続を考慮した追加・削除を容易に計画することができる。また、作業者が読みやすいレイアウトで帳票を出力することができる。その結果、作業者が読みやすいレイアウトで作業を把握することができる。
【００６０】
以上説明した本発明は、発明の趣旨を逸脱しない範囲で広く変形実施することができる。
【００６１】
例えば、本実施形態においては、電力設備に関する作業を管理対象としたが、管理対象として、地図上に付された設備と、それらの設備を接続する線で構成される管理対象について適用してもよく、設備の種別には依存しない。設備の種別とは、例えば、ガス、水道、通信、並びに、鉄道である。なお、地図上で作業対象設備をユーザに選択される画面について、ガス設備を対象とした画面例を図１５に、水道設備を対象とした画面例を図１６に、通信設備を対象とした画面例を図１７に、鉄道設備を対象とした画面例を図１８に、それぞれ示す。
【００６２】
また、作業リストをガントチャート形式で表示したが、ガントチャート形式の替わりに、他の表示形式としてもよい。他の表示形式とは、例えば、テキスト形式や、作業項目に応じて表示箇所又は表示内容を変えたアイコン形式である。
【００６３】
さらに、ガントチャートに付される作業員の山積み表示は、作業員の替わりに、作業の制約となる項目のうち任意の項目を表示しても良い。また、作業の制約となる項目が複数存在する場合は、それらを一部または全て表示してもよい。作業の制約となる項目とは、例えば、作業予算や、作業用電力、並びに、所定の作業用機材の個数である。
【００６４】
また、ガントチャート上での作業期間は、マウスのドラッグアンドドロップ操作により変更可能としたが、例えば、期間を直接数値により指定するなど、他の変更操作を適用してもよい。
【００６５】
さらに、作業者端末４により表示される画面の遷移について、画面が切り替わるたびに、切り替わる後の画面を、逐次作業管理サーバ２から呼び出してもよいし、複数の画面を予め作業者端末４にダウンロードしておき、画面の切り替え時に、ダウンロードされた画面を呼び出すようにしてもよい。
【００６６】
【発明の効果】
本発明により、作業場所の地域を事前に確認しながら作業計画をたてることができる。その結果、地理的範囲を考慮して作業を効率よく計画および管理することができる。
【図面の簡単な説明】
【図１】本発明の実施形態に係わる作業管理方法を実現する作業管理サーバを含めた作業管理システムの概略構成図である。
【図２】本発明の実施形態に係わる作業管理方法を実現する作業管理サーバの構成図である。
【図３】本発明の第１実施形態における作業計画を作成する際のフローチャートである。
【図４】本発明の実施形態に係わる作業リストのガントチャートの表示画面である。
【図５】本発明の実施形態に係わる作業リストのガントチャートの表示画面において、作業期間を変更した図である。
【図６】本発明の実施形態に係わる電力設備の編集中に表示される配電線路図である。
【図７】本発明の実施形態に係わる作業区間および作業対象機器の選択画面である。
【図８】本発明の実施形態に係わる作業者端末に表示される画面の遷移を示す図である。
【図９】本発明の実施形態に係わる帳票形式による作業の表示画面の一例を示す図である。
【図１０】本発明の実施形態に係わる作業区間および作業対象機器の選択画面である。
【図１１】本発明の実施形態に係わる作業者端末に表示される画面の一例を示す図である。
【図１２】本発明の実施形態に係わる作業リストへの検索条件の入力画面の一例を示す図である。
【図１３】本発明の実施形態に係わる作業計画の入力あるいは編集に使用する画面の一例を示す図である。
【図１４】本発明の実施形態に係わる作業リストのガントチャートの表示画面である。
【図１５】本発明の実施形態に係わるガス設備を対象とした作業区間および作業対象機器の選択画面である。
【図１６】本発明の実施形態に係わる水道設備を対象とした作業区間および作業対象機器の選択画面である。
【図１７】本発明の実施形態に係わる通信設備を対象とした作業区間および作業対象機器の選択画面である。
【図１８】本発明の実施形態に係わる鉄道設備を対象とした作業区間および作業対象機器の選択画面である。
【符号の説明】
１…設備管理会社
２…作業管理サーバ
３…設備工事会社
４…作業者端末
１０…ユーザインタフェース
２０…作業区間管理部
３０…作業管理部
４０…帳票管理部
１０１…作業リスト
１０２…作業人数確認欄
２１０…電力設備アイコンリスト
２２０…電力設備接続ウィンドウ
３００…地図ウィンドウ
４０１…ログイン画面
４０２…メニュー画面
４０３…現場地図画面
４０４…停電区間画面
４０５…概略手順画面
【図１】
2004054716.tif 000003
【図２】
2004054716.tif 000004
【図３】
2004054716.tif 000005
【図４】
2004054716.tif 000006
【図５】
2004054716.tif 000007
【図６】
2004054716.tif 000008
【図７】
2004054716.tif 000009
【図８】
2004054716.tif 000010
【図９】
2004054716.tif 000011
【図１０】
2004054716.tif 000012
【図１１】
2004054716.tif 000013
【図１２】
2004054716.tif 000014
【図１３】
2004054716.tif 000015
【図１４】
2004054716.tif 000016
【図１５】
2004054716.tif 000017
【図１６】
2004054716.tif 000018
【図１７】
2004054716.tif 000019
【図１８】
2004054716.tif 000020